(57)【要約】【課題】  カッターへの紙詰まりを簡易な構造で確実にかつ簡単に防止する。【解決手段】  シュレッダー１０は、カッター部１２と、カッター部１２により裁断された廃棄物を受け入れる受容部１４とを備えている。カッター部１２は、被処理物の投入口１６と、この投入口１６から投入された被処理物を裁断するカッター１８とを備えている。カッター１８は、カッター１８が描く回転円がシュレッダー１０の正面へ最寄りとなる位置に設置されて受容部１４の正面部１４ｃへの最寄り側に廃棄物を落下させる。投入口１６は、斜めに配置されて、投入口１６の下受面から所定の厚みまでの被処理物毎にカッター１８に送り出す。【選択図】        図３
2005230670.tif 000002
【特許請求の範囲】
【請求項１】
カッターに被処理物を送り出すシュレッダーの投入口において、前記投入口は、所定の厚みを越える被処理物の端面に当接して前記所定の厚みを越える被処理物の送り出しを制限して前記所定の厚み以下の前記被処理物を前記カッターに送り出すことを特徴とするシュレッダーの投入口。
【請求項２】
請求項１に記載されたシュレッダーの投入口において、前記投入口は、斜めに配置されて、前記投入口の下受面から所定の厚みまでの被処理物毎に前記カッターに送り出すことを特徴とするシュレッダーの投入口。
【請求項３】
請求項１又は請求項２のいずれかに記載されたシュレッダーの投入口であって、前記投入口を構成する壁間の間隔が１．５ｍｍ以下であることを特徴とするシュレッダーの投入口。
【請求項４】
カッター部と前記カッター部により裁断された廃棄物を受け入れる受容部とを備え、前記カッター部は、被処理物の投入口と前記投入口から投入された被処理物を裁断するカッターとを有するシュレッダーにおいて、前記投入口は、所定の厚みを越える被処理物の端面に当接して前記所定の厚みを越える被処理物の送り出しを制限して前記所定の厚み以下の前記被処理物を前記カッターに送り出すことを特徴とするシュレッダー。
【請求項５】
請求項４に記載されたシュレッダーであって、前記投入口は、斜めに配置されて、前記投入口の下受面から所定の厚みまでの被処理物毎に前記カッターに送り出すことを特徴とするシュレッダー。
【請求項６】
カッター部と前記カッター部により裁断された廃棄物を受け入れる受容部とを備え、前記カッター部は、被処理物の投入口と前記投入口から投入された被処理物を裁断するカッターとを有するシュレッダーにおいて、前記カッターは、前記カッターが描く回転円が前記シュレッダーの壁面へ最寄りとなる位置に設置されて前記受容部の壁面への最寄り側に廃棄物を落下させることを特徴とするシュレッダー。
【請求項７】
請求項６に記載されたシュレッダーであって、前記カッターの最寄りの壁面が、前記シュレッダーの前記廃棄物の取り出し側の壁面であることを特徴とするシュレッダー。
【請求項８】
請求項６又は請求項７のいずれかに記載されたシュレッダーにおいて、前記投入口は、所定の厚みを越える被処理物の端面に当接して前記所定の厚みを越える被処理物の送り出しを制限して前記所定の厚み以下の前記被処理物を前記カッターに送り出すことを特徴とするシュレッダー。
【請求項９】
請求項８に記載されたシュレッダーであって、前記投入口は、斜めに配置されて、前記投入口の下受面から所定の厚みまでの被処理物毎に前記シュレッダーの前面部に設置されたカッターに送り出すことを特徴とするシュレッダー。
【請求項１０】
請求項４乃至請求項９のいずれかに記載されたシュレッダーであって、前記投入口を構成する壁間の間隔が１．５ｍｍ以下であることを特徴とするシュレッダー。
【請求項１１】
請求項４乃至請求項１０のいずれかに記載されたシュレッダーであって、前記受容部には、前記受容部の壁面への最寄り側に落下した廃棄物の集積状況を外部から確認できる確認手段が形成されていることを特徴とするシュレッダー。
【発明の詳細な説明】
【技術分野】
【０００１】
本発明は、不要となった書類等の被処理物をカッターにより裁断するシュレッダーの改良に関し、特に、紙詰まりを防止して被処理物を適切に裁断することに関するものである。
【背景技術】
【０００２】
不要となった書類等の被処理物をカッターにより細かく裁断処理するシュレッダーにおいては、一般に、カッターへの紙の送り出しは、作業者が被処理物である書類等を任意の枚数毎に投入口に投入することにより行われていた。
【０００３】
この場合、作業者は、大量の書類の裁断処理に際して、投入済みの書類の裁断終了を確認した後、改めて残りの裁断すべき書類を所定枚数に区分けして、次に処理すべき書類を投入する作業を繰り返し行う必要があり、処理作業に非常に手間が掛かかると共に、作業者が長時間にわたり作業に拘束される問題があった。
【０００４】
このため、作業者は処理を急ぐ余り、適切な枚数以上の厚みを有する書類を投入する傾向があり、また、一般的なシュレッダーの投入口も、それを受け入れるだけの開口幅を有していたため、多量投入が一層顕著となる傾向があった。
【０００５】
しかし、このように、一度に多量の書類を投入口に投入すると、紙詰まりが生じ、カッターの逆回転、詰まった紙の除去、再度の投入という紙詰まりの除去作業に更に労力と時間を奪われ、却って、裁断処理作業に余計な手間と時間を要する問題があった。
【０００６】
この場合、幅広の投入口に臨むように自動送りローラーを設置して、この自動送りローラーと投入口の下面との間で紙落下口を形成し、この紙落下口（自動送りローラーと投入口との間の間隙）の間隔をカッターの裁断能力に合わせて設定することにより対応することが提案されている（例えば、特許文献１）。
【０００７】
しかし、このように、自動送りローラーと投入口との間の間隔を調整しても、この自動送りローラーに接触可能な書類自体の枚数を制限しないと、例えば、廃棄すべき書類の端面が少しずつずれて送り出された場合等に、次に送り出すべき書類まで自動送りローラーに巻き込まれて、投入口と自動送りローラーとの間で紙が詰まるおそれがある。即ち、自動送りローラーの処理能力以上の紙が、自動送りローラーに送り出されてしまい、一般的なシュレッダーにおいて生ずる回転するカッター間における紙詰まりと同様の現象が、投入口と自動送りローラーとの間で生じ、結局は、紙詰まりの原因となると共に、その除去作業には従前と同様の手間と時間を要する問題があった。また、自動送りローラーを設置すると、構造が複雑で製造に手間とコストを要する問題も生じる。
【０００８】
更に、紙詰まりによるカッターの回転停止は、書類の投入段階における処理のみが原因ではなく、裁断済みの廃棄物を原因としても生じるおそれがある。即ち、裁断された廃棄物を貯蓄する廃棄物受け（ゴミ箱）に必要以上に、廃棄物を貯蓄すると、この処理済みの廃棄物がカッターに巻き込まれて、回転するカッター間に送り出されて、カッターの回転に支障が生じて紙詰まりの原因となるおそれがあり、従来の技術では、係る原因による紙詰まりの防止には全く意味がなかった。
【特許文献１】特開平５−２７７３９２号公報
【発明の開示】
【発明が解決しようとする課題】
【０００９】
本発明が解決しようとする課題は、上記の問題点に鑑み、簡易な構造で確実にかつ簡単に紙詰まりを防止することができるシュレッダーの投入口及びシュレッダーを提供することにある。
【課題を解決するための手段】
【００１０】
本発明は、上記の課題を解決するための第１の手段として、カッターに被処理物を送り出すシュレッダーの投入口において、この投入口は、所定の厚みを越える被処理物の端面に当接して所定の厚みを越える被処理物の送り出しを制限して所定の厚み以下の被処理物をカッターに送り出すことを特徴とするシュレッダーの投入口を提供するものである。
【００１１】
本発明は、上記の課題を解決するための第２の手段として、上記第１の解決手段において、投入口は、斜めに配置されて、この投入口の下受面から所定の厚みまでの被処理物毎にカッターに送り出すことを特徴とするシュレッダーの投入口を提供するものである。
【００１２】
本発明は、上記の課題を解決するための第３の手段として、上記第１又は第２のいずれかの解決手段において、投入口を構成する壁間の間隔が１．５ｍｍ以下であることを特徴とするシュレッダーの投入口を提供するものである。
【００１３】
本発明は、上記の課題を解決するための第４の手段として、カッター部とカッター部により裁断された廃棄物を受け入れる受容部とを備え、カッター部は、被処理物の投入口と投入口から投入された被処理物を裁断するカッターとを有するシュレッダーにおいて、投入口は、所定の厚みを越える被処理物の端面に当接して所定の厚みを越える被処理物の送り出しを制限して所定の厚み以下の被処理物をカッターに送り出すことを特徴とするシュレッダーを提供するものである。
【００１４】
本発明は、上記の課題を解決するための第５の手段として、上記第４の解決手段において、投入口は、斜めに配置されて、投入口の下受面から所定の厚みまでの被処理物毎にカッターに送り出すことを特徴とするシュレッダーを提供するものである。
【００１５】
本発明は、上記の課題を解決するための第６の手段として、カッター部とこのカッター部により裁断された廃棄物を受け入れる受容部とを備え、カッター部は、被処理物の投入口とこの投入口から投入された被処理物を裁断するカッターとを有するシュレッダーにおいて、カッターは、カッターが描く回転円がシュレッダーの壁面へ最寄りとなる位置に設置されて受容部の壁面への最寄り側に廃棄物を落下させることを特徴とするシュレッダーを提供するものである。なお、「カッターが描く回転円がシュレッダーの壁面へ最寄りとなる位置」とは、カッターの回転空間や当該壁面と他の壁面との接合のための部材、カッターの支持機構や、防振上の設計、安全上の配慮等の機構上必要な部品を配置した上で設計上カッターが描く回転円が最も壁面寄りになるようにカッターを設置することができる位置を意味する。
【００１６】
本発明は、上記の課題を解決するための第７の手段として、上記第６の解決手段において、カッターの最寄りの壁面が、シュレッダーの廃棄物の取り出し側の壁面であることを特徴とするシュレッダーを提供するものである。
【００１７】
本発明は、上記の課題を解決するための第８の手段として、上記第６又は第７のいずれかの解決手段において、投入口は、所定の厚みを越える被処理物の端面に当接して所定の厚みを越える被処理物の送り出しを制限して所定の厚み以下の被処理物をカッターに送り出すことを特徴とするシュレッダーを提供するものである。
【００１８】
本発明は、上記の課題を解決するための第９の手段として、上記第８の解決手段において、投入口は、斜めに配置されて、投入口の下受面から所定の厚みまでの被処理物毎にシュレッダーの前面部に設置されたカッターに送り出すことを特徴とするシュレッダーを提供するものである。
【００１９】
本発明は、上記の課題を解決するための第１０の手段として、上記第４乃至第９のいずれかの解決手段において、投入口を構成する壁間の間隔が１．５ｍｍ以下であることを特徴とするシュレッダーを提供するものである。
【００２０】
本発明は、上記の課題を解決するための第１１の手段として、上記第４乃至第１０のいずれかの解決手段において、受容部には、受容部の壁面への最寄り側に落下した廃棄物の集積状況を外部から確認できる確認手段が形成されていることを特徴とするシュレッダーを提供するものである。
【発明の効果】
【００２１】
本発明によれば、上記のように、投入口を構成する壁間の間隔を調整して、この投入口を形成する投入口周囲の壁面を所定の厚みを越える被処理物の端面に当接させることにより、所定の厚みを越える被処理物の送り出しを制限して、所定の厚み以下の被処理物をカッターに送り出しているため、必要以上の枚数の紙を送り出すことがなく、被処理物の供給過多による紙詰まりを簡易な構造で確実にかつ簡単に防止することができる実益がある。なお、所定の厚みとは、被処理物のカッターへの供給が過多とならない厚み、即ち、カッターが一度に処理できる被処理物の厚みとして設定することができる。
【００２２】
特に、本発明によれば、投入口を斜めに配置して、この投入口の下受面から所定の厚みまでの被処理物毎にカッターに送り出しているため、所定の厚みを越える被処理物は投入口に当接して次の送り込みを待ち、先に投入口に入り込んだ被処理物が送り出された後に、順次、次の所定の厚みまでの被処理物が投入口に入り込むため、大量の書類を投入口に設置しても被処理物が適切に送り出されるため、処理に手間を要せず、作業者を不必要に拘束することがない実益がある。
【００２３】
この場合、本発明によれば、上記のように、投入口の壁間の間隙を、一般的なシュレッダーの５ｍｍ〜７ｍｍに比べて、大幅に狭小にした１．５ｍｍ以下とすることにより対応しているため、紙詰まりを確実に防止することができる実益がある。
【００２４】
また、本発明によれば、上記のように、カッターをシュレッダーの前面等の壁面への最寄りの位置に設置し、受容部の壁面への最寄り側に廃棄物を落下させているため、裁断処理後の廃棄物を受容部の中央付近に落下させた場合に比べて、廃棄物が平均的に貯蓄されることなく、壁面に沿って壁面に近い側から高く貯蓄されていくため、廃棄物の処理者に対して、受容部の受容能力に対して見かけ上早めに受容限度に近づいたように心理的な働きかけを与え、廃棄物を早期に廃棄処分することができるため、貯蓄過多による廃棄物のカッターへの巻き込みを防止して確実に紙詰まりを抑制することができると同時に、廃棄物が受容部から溢れ出ることがない実益がある。
【００２５】
この場合、特に、本発明によれば、カッターの最寄りの壁面が、シュレッダーの廃棄物の取り出し側の壁面の最寄り部分にカッターを設けて、外部からの確認が比較的容易な取り出し側の壁面に近い側から廃棄物を高く貯蓄していくため、廃棄物の貯蓄状況をより一層簡易に確認して、廃棄物の早期の廃棄処分による紙詰まりの防止を確実に達成することができる実益がある。
【００２６】
更に、本発明によれば、上記のように、受容部に受容部の壁面への最寄り側に落下した廃棄物の集積状況を外部から確認できる小窓等の確認手段を形成しているため、より一層確実に、裁断後の廃棄物の貯蓄状況を確認することができるため、廃棄物の早期の廃棄処分による紙詰まりの防止をより一層確実に達成することができる実益がある。
【発明を実施するための最良の形態】
【００２７】
本発明の実施の形態を図面を参照しながら詳細に説明すると、図１乃至図３は本発明のシュレッダー１０を示し、このシュレッダー１０は、図１乃至図３に示すように、カッター部１２と、このカッター部１２の下方に配置されてカッター部１２により裁断された廃棄物を受け入れる受容部１４とを備えている。
【００２８】
カッター部１２は、図２乃至図５に示すように、被処理物の投入口１６と、この投入口１６から投入された被処理物を裁断するカッター１８とを有している。カッター１８は、図１乃至図４に示すように、相対向して配置された複数の、図示の実施の形態では２つのカッター本体１８Ａ、１８Ｂから成っている。なお、投入口１６は、特に、図３に示すように、カッター部１２のキャビネットの一部を開口させて形成することができる。
【００２９】
各カッター本体１８Ａ、１８Ｂの各々は、特に図５に示すように、モーター２０により回転するローラー１８ａの外周に多数の刃１８ｂが取り付けられて形成され、相互に他方のカッター本体１８Ａ、１８Ｂの多数の刃１８ｂが干渉しないで互い違いに配置されるように、設置されている。従って、細かく裁断すべき書類等の被処理物は、これらの２つのカッター本体１８Ａ、１８Ｂ間に送り込まれることにより、回転する刃１８ｂにより細かく裁断される。
【００３０】
受容部１４は、図示の実施の形態では、図１乃至図３に示すように、受容部本体１４Ａと、この受容部本体１４Ａに収納される受け箱１４Ｂとから成っている。受容部本体１４Ａは、図１乃至図３に示す実施の形態では、背板部１４ａと左右の側板部１４ｂとから成り、受け箱１４Ｂは、受容部本体１４の下方に形成されたレール２２上を摺動してシュレッダー１０の正面から受容部本体１４に出し入れ自在に収納されて、カッター部１２により裁断された廃棄物を貯蓄する。
【００３１】
従って、図示の実施の形態では、特に、図１に示すように、受け箱１４Ｂの正面板が、そのまま受容部１４の正面部１４ｃとなると共に、この受け箱１４Ｂを受容部本体１４Ａから手前に引き出すことにより、貯蓄された廃棄物を廃棄することができる。即ち、図示の実施の形態では、シュレッダー１０の正面部１４ｃが、廃棄物の取り出し口となる。なお、受け箱１４Ａは、図示の実施の形態のように、手前（正面側）に引き出す形態には限られるものではなく、下方において枢軸により受容部本体１４Ａに揺動自在に取り付けられ、手前に傾斜させて廃棄物委を取り出せるように設定することもできる。
【００３２】
なお、この受容部１４の正面部１４ｃとなる受け箱１４Ｂの正面板には、図１及び図２に示すように、受け箱１４Ｂ内への廃棄物の集積状況を外部から確認できる確認手段２４が形成されている。この確認手段２４として、具体的には、受け箱１４Ｂの正面板の一部に形成された透明の小窓２４Ａを使用することができる。従って、廃棄物の処理者は、次第に高く蓄積された廃棄物を、この小窓２４Ａを介して外部から目視により確認することができる。このため、この小窓２４Ａは、廃棄物を受容部１４から取り出すのに適した高さまで蓄積された場合に、この蓄積された配置物を外部から目視できる高さに配置することが望ましい。これにより、廃棄物の貯蓄量が廃棄に適した量に達したことを簡易に認識することができる。
【００３３】
カッター１８は、本発明においては、カッター１８が描く回転円Ａ（図４及び図５参照）が、シュレッダー１０の壁面へ最寄りとなる位置に設置されている。より具体的には、相対向して配置された２つのカッター本体１８Ａ、１８Ｂのうち、よりシュレッダー１０の壁面側に近いカッター本体（図示の実施の形態ではカッター本体１８Ａ）の刃１８ｂが、設計上可及的にシュレッダー１０の壁面に近い位置に配置されるように、カッター１８を設置する。即ち、特に、図４及び図５に示すように、カッター本体１８Ａの回転空間を考慮するのは勿論のこと、カッター１８の支持部材２６を充分な強度を確保することができる大きさ及び形状に設定し、更には、防振上の設計、安全上の配慮等のカッター１８の本来の機能を確保するために必要な部品を配置した上で、設計上カッター本体１８Ａを、最も壁面寄りに設置することができる位置に、カッター本体１８Ａを配置する。
【００３４】
この場合、特に図４及び図５に示すように、壁面に最寄りのカッター本体１８Ａと他方のカッター本体１８Ｂとの間の接線Ｘ（図４及び図５参照）が、当該最寄りの壁面に向かうように、他方のカッター本体１８Ｂを、壁面に最寄りカッター本体１８Ａから斜め下方の位置に配置することにより、受容部１４の壁面への最寄り側に廃棄物を落下させることができる。
【００３５】
従って、廃棄物は、図３に示すように、受容部１４の中央付近に落下させた場合に比べて、廃棄物が平均的に貯蓄されることなく、図３の点線Ｂに示すように、壁面に沿って壁面に近い側から高く貯蓄されていく。このため、廃棄物の処理者に対して、受容部１４の受容能力に対して見かけ上早めに受容限度に近づいたように心理的な働きかけを与え、廃棄物を早期に廃棄処分することができるため、貯蓄過多による廃棄物のカッター１８への巻き込みを防止して確実に紙詰まりを抑制することができると同時に、廃棄物が受容部１４から溢れ出ることがない。
【００３６】
この場合、このカッター１８の最寄りの壁面としては、シュレッダー１０の廃棄物の取り出し側の壁面、即ち、図示の実施の形態では、受容部１４の正面部１４ｃを設定することが望ましい。このように、廃棄物の取り出し側の壁面である受容部の正面部１４ｃ側から廃棄物を高く貯蓄していくと、この取り出し側が、外部からの確認が比較的容易であるため、確認手段２４である小窓２４Ａによる目視効果と相俟って、廃棄物の貯蓄状況をより一層簡易に確認して、廃棄物の早期の廃棄処分による紙詰まりの防止を確実に達成することができる。即ち、図示の実施の形態では、シュレッダー１０の前面側に向けて、裁断後の廃棄物を落下させていく。
【００３７】
また、投入口１６は、本発明においては、特に図４に示すように、所定の厚みを越える被処理物１の端面に当接して所定の厚みを越える被処理物１の送り出しを制限し、所定の厚み以下の被処理物１をカッター１８に送り出す。この場合、所定の厚みとしては、被処理物１のカッター１８への供給が過多とならない厚み、即ち、カッター１８が一度に処理できる被処理物１の厚みに設定することができる。
【００３８】
このため、この所定の厚みを超える厚みの枚数の被処理物１を、投入口１６に向けて挿入しようとしても、この所定の厚みを超える分の被処理物１である書類は、図４に示すように、投入口１６を形成する投入口１６周囲の壁面に当接して投入口１６への投入が制限されてカッター１８に送り出されることがなく、所定の厚み以下の先に送り出された被処理物１が適正に裁断処理された後に、次に所定の厚み毎の被処理物１が投入口１６からカッター１８に送り出されていく。これにより、被処理物１の供給過多による紙詰まりを簡易な構造で確実にかつ簡単に防止することができる。
【００３９】
具体的には、投入口１６の壁間の間隙Ｓ（図４参照）を、一般的なシュレッダーの５ｍｍ〜７ｍｍに比べて、大幅に狭小である１．５ｍｍ以下とすることにより対応することができる。なお、この場合、投入口１６は、被処理物１の送り出しを制限することができれば足りるため、例えば、投入口１６に連続する被処理物１の通路１７は、３〜５ｍｍ程度の幅に形成しつつ、この通路１７の開口に被処理物１の端面に当接する図示しないストッパーを取り付けて、このストッパーと通路１７の一方の壁面との間で１．５ｍｍ以下の間隔の投入口１６を形成することもできる。
【００４０】
特に、カッター１８がシュレッダーの正面側に設置されている図示の実施の形態では、このカッター１８の設置位置に合わせて、図３に示すように、この投入口１６シュレッダーの中央付近から正面側に向けて斜めに配置することが望ましい。具体的には、２つのカッター本体１８Ａ、１８Ｂ間の接線とほぼ平行な方向に傾斜させて投入口１６を形成することができる。この場合には、投入口１６の下受面１６ａから所定の厚みまでの被処理物１毎にカッター１８に送り出されていく。このため、大量の書類である被処理物１を投入口１６に設置しても被処理物１が適切に送り出されるため、処理に手間を要せず、作業者を不必要に拘束することがない。
【産業上の利用可能性】
【００４１】
本発明は、特に、書類等の細かく裁断することができる被処理物の裁断処理に適用することができる。
【図面の簡単な説明】
【００４２】
【図１】本発明のシュレッダーの概略斜視図である。
【図２】本発明のシュレッダーの正面縦断面図である。
【図３】本発明のシュレッダーの一部破断側面図である。
【図４】本発明にカッター部の一部拡大図である。
【図５】本発明に用いられるカッターの配置状況を示す拡大側面図である。
【符号の説明】
【００４３】
１  被処理物
１０  シュレッダー
１２  カッター部
１４  受容部
１４Ａ  受容部本体
１４Ｂ  受け箱
１４ａ  背板部
１４ｂ  側板部
１４ｃ  正面部
１６  投入口
１６ａ  投入口の下受面
１８  カッター
１８Ａ、１８Ｂ  カッター本体
１８ａ  ローラー
１８ｂ  刃
２０  モーター
２２  レール
２４  確認手段
２４Ａ  透明の小窓
２６  カッターの支持部材
【図１】
2005230670.tif 000003
【図２】
2005230670.tif 000004
【図３】
2005230670.tif 000005
【図４】
2005230670.tif 000006
【図５】
2005230670.tif 000007